(57)【要約】      （修正有）【課題】いずれの形状の容器に対しても汎用的に使用が可能である保冷又は保温用具を提供する。【解決手段】一方端が閉じられ底面を成し，他端が解放された中空の円筒もしくは，多角筒の本体部１と，前記円筒もしくは，多角筒の内径より小さい経の縁部を有する，熱伝導性のキャップ２と，前記円筒もしくは，多角筒の中空部に収納された保冷もしくは保温剤３を有し，前記キャップの縁部が前記本体部の円筒もしくは，多角筒内に勘合されて，前記保冷もしくは保温剤を封止するように構成されている。【選択図】図２
0003114856.tif 000002
【実用新案登録請求の範囲】
【請求項１】
一方端が閉じられ底面を成し，他端が解放された中空の円筒もしくは，多角筒の本体部と，
前記円筒もしくは，多角筒の内径より小さい経の縁部を有する，熱伝導性のキャップと，
前記円筒もしくは，多角筒の中空部に収納された保冷もしくは保温剤を有し，
前記キャップの縁部が前記本体部の円筒もしくは，多角筒内に勘合されて，前記保冷もしくは保温剤を封止するように構成されている
ことを特徴とする保冷又は保温用具。
【請求項２】
請求項１において，
前記円筒もしくは，多角筒の前記他端側の端面が，粗面状を成していることを特徴とする保冷又は保温用具。
【考案の詳細な説明】
【技術分野】
【０００１】
本考案は、保冷又は保温用具に関し、特に飲食物の冷えた状態あるいは温められた状態を一定時間保持するための保冷又は保温用具に関する。
【背景技術】
【０００２】
飲食物は，飲食の際に，適温に冷却あるいは加熱された状態であることが最良の味を提供するために好ましいものである。また，生ものについては，適当に冷やされた状態にしておくことが鮮度を維持するために必要である。
【０００３】
しかし，一般に食事の際は，適温に冷却あるいは加熱された状態で，飲食物が食卓テーブルに載せられるが，時間の経過とともに適温状態を維持することが困難である。
【０００４】
したがって，食卓テーブル上においても適温を維持できることが望まれている。
【０００５】
かかる点から，これまで種々の提案が成されている（例えば，特許文献１乃至４）。
これら特許文献１乃至４に記載の考案はいずれも，保冷又は保温のための専用容器を提供するものである。すなわち，専用容器に飲食物を載せて提供するためのものである。
【特許文献１】特許公開平９−１８２６５４号公報
【特許文献２】特許公開平１１−２５３号公報
【特許文献３】実開平６−７５２７７号公報
【特許文献４】登録実用新案第３０３８６７９号公報
【考案の開示】
【考案が解決しようとする課題】
【０００６】
上記特許文献に記載された考案は，いずれも飲食物を載せて提供するための専用の容器ある。
【０００７】
したがって，食物によって使用する専用の容器が特定され，しかも大きさが固定であるので，食卓に使用する容器の選択及び趣向を著しく制約することになる。また，食物を載せるための専用の容器であるので，形状が大きくならざるを得ない。これにより，キャンプ等戸外での使用には全く適しないものである。
【０００８】
かかる点に鑑みて，本考案の目的は，いずれの形状の容器に対しても汎用的に使用が可能である保冷又は保温用具を提供することにある。
【課題を解決するための手段】
【０００９】
上記課題を達成する本考案の第１の側面は，保冷又は保温用具であって，一方端が閉じられ底面を成し，他端が解放された中空の円筒もしくは，多角筒の本体部と，
前記円筒もしくは，多角筒の内径より小さい経の縁部を有する，熱伝導性のキャップと，
前記円筒もしくは，多角筒の中空部に収納された保冷もしくは保温剤を有し，
前記キャップの縁部が前記本体部の円筒もしくは，多角筒内に勘合されて，前記保冷もしくは保温剤を封止するように構成されたことを特徴とする。
【００１０】
また，上記課題を達成する本考案の第１の側面において，前記円筒もしくは，多角筒の前記他端側の端面が，粗面状を成すように構成することが可能である。
【考案の効果】
【００１１】
上記構成により，本考案の保冷又は保温用具は，いずれの形状の容器に対しても汎用的に使用が可能である。また，小型に構成可能であるので，戸外での使用にも適している。
【考案を実施するための最良の形態】
【００１２】
以下図面に従い，本考案の実施の形態例を説明するが，実施の形態例は本考案の理解のためのものであり，本考案の技術的範囲はこれに限定されるものではない。
【００１３】
図１は，本考案を適用する保冷又は保温用具の構成例を示す図である。
【００１４】
図１において，（ａ）は，外形が円筒形を成している保冷又は保温用具の形態を示している。また，（ｂ）は，外形が多角形であり，特に四角形とする保冷又は保温用具の形態例を示している。
【００１５】
本考案に従う保冷又は保温用具は，一方端が閉じられ底面を成し，他端が解放された中空の円筒（ａ）もしくは，多角筒（ｂ）の本体部１と，前記円筒もしくは，多角筒の内径より小さい経の縁部２０を有する，熱伝導性のよい，例えばアルミ板で形成されたキャップ２を有している。
【００１６】
この円筒もしくは，多角筒の中空部に，図１では図示しない保冷もしくは保温剤が収容されている。
【００１７】
さらに，前記キャップ２の縁部２０が前記本体部１の円筒もしくは，多角筒内に勘合されて，前記保冷もしくは保温剤を封止するように構成されている。
【００１８】
保冷，保温剤は，原料としては高吸水性樹脂（吸水ポリマー）等を用いて得ることができ，適宜の袋に吸水ポリマーを収納し，これを前記本体部１の円筒もしくは，多角筒内に収容する。
【００１９】
保冷容器として使用するときは，冷凍庫で保冷容器のまま吸水ポリマーを冷凍させて用いる。
【００２０】
一方，保温容器として使用するときは，キャップ２を外さずに保温容器のまま高温水に漬けるか，キャップ２を外し，電子レンジで加熱して，加熱後にキャップ２を被せて使用する。
【００２１】
図２は，本考案の保冷又は保温用具の構造を更に説明する分解図である。なお，図２では，本体部１が，円筒状のものを示しているが，多角形のものについても同様である。
【００２２】
先ず，一方端が閉じられ底面を成し，他端が解放された中空の円筒もしくは，多角筒の本体部１を用意する（Ｓ１）。ついで，保冷又は保温剤３を本体部１の中空部に収納する（Ｓ２）。
【００２３】
さらに円筒又は，多角筒の内径より小さい経の縁部２０を有するキャップ２を，円筒もしくは，多角筒内に勘合する（Ｓ３）。これにより，前記保冷もしくは保温剤３が封入され，完成体１０が得られる（Ｓ４）。
【００２４】
図３は，本考案にかかる保冷又は保温用具の使用形態について説明する図である。
【００２５】
図３において，（ａ）は，大皿に本考案の保冷又は保温用具を使用するときの上面図である。（ｂ）は，この時，横側から観察したときの中央線に沿う一部断面図である。
【００２６】
皿５の裏面側に糸切り底５０が形成されている。この糸切り底５０の経よりも保冷又は保温用具１０の経が小さければ，キャップ２を本体部１に勘合したままの状態で，保冷又は保温用具１０を糸切り底５０の内側に配置する。これにより，皿５に乗せた食物５１を皿５の下側から冷却又は保温することが可能である。
【００２７】
また，（ｂ）に示すように，食物の載せられる皿５が小さい場合は，糸切り底５０の経が冷却又は保温用具の経よりも小さい場合がある。この時は，キャップ２を本体部１から外した状態で，糸切り底５０に保冷又は保温剤３が触れるように皿５の裏面に配置することができる。
【００２８】
図３において，更に（ｃ）は，本考案の保冷又は保温用具１０を飲み物の保冷又は保温に使用する場合の例である。すなわち，本考案の保冷又は保温用具１０を，飲み物５３を入れたグラス５２に対し，コースターとして使用することができる。
【００２９】
グラス５２の底に保冷又は保温用具１０のキャップ２の表面が接触して保冷又は保温を行うことができる。
【００３０】
さらに，好ましい態様として，図１に示すように，円筒又は，多角筒の端面４を粗面に形成する。これにより，本考案の保冷又は保温用具１０と，これに乗せられる皿との滑り止めの機能を果たすことができる。
【産業上の利用可能性】
【００３１】
上記したように、本考案に従う保冷又は保温用具は，いずれの形状の容器に対しても汎用的に使用が可能であるので，広く需要が期待でき，産業上寄与するところ大である。
【図面の簡単な説明】
【００３２】
【図１】本考案を適用する構成例を示す図である。
【図２】本考案の保冷又は保温用具の構造を更に説明する分解図である。
【図３】本考案にかかる保冷又は保温用具の使用形態について説明する図である。
【符号の説明】
【００３３】
１      本体部
２      キャップ
３      保冷又は，保温剤
４      粗面
１０    保冷又は保温用具の完成体
５      皿
５０    糸切り底
５１    食物
５２    グラス
５３    飲料
【図１】
0003114856.tif 000003
【図２】
0003114856.tif 000004
【図３】
0003114856.tif 000005